(57)【特許請求の範囲】
【請求項１】
ポンプのステムとつながる内部経路を有し、押し込み動作の繰り返しにより該ポンプを駆動させて容器内部の内容物を該内部経路に取り込む押圧ヘッドと、該内部経路に設けた開孔を通して取り込まれた内容物を送給経路に導入し塗布面に設けた注出孔から該内容物を吐出させる一方、該塗布面を被塗布面に押し当てて吐出された内容物の塗布を可能とする塗布具とを備え、
前記押圧ヘッドに、前記開孔と連結し前記内容物を前記塗布具の注出孔に向けて送給するノズルを設け、
前記塗布具が、先端傾斜部を前記塗布面とし、起立姿勢でもって前記ノズルを前記送給経路にて摺動可能に保持するへら状の塗布具本体と、該塗布具本体の下端に一体連結し、前記ポンプを固定する環状周壁を取り囲んで該環状周壁と嵌合するとともに前記塗布具本体の起立姿勢を保持する肩カバーと、からなり、
前記ノズルは、前記内容物を送給する向きを自在に変更し得る可撓材で形成されたものであることを特徴とする塗布具付き注出器。
【請求項２】
前記ノズルは、前記押圧ヘッドと一体連結したものである請求項１記載の塗布具付き注出器。
【請求項３】
前記肩カバーを前記塗布具本体とともに取り囲む周壁と、該周壁の上端で一体連結し収納空間を区画形成する天面壁とからなるオーバーキャップを備え、
前記天面壁の下面に、前記塗布面と弾性的に密着して前記注出孔を閉鎖するシール部材を設けた請求項１又は２記載の塗布具付き注出器。
【発明の詳細な説明】
【技術分野】
【０００１】
本発明は、押圧ヘッドの押し込み動作の繰り返しにより容器内部の内容物を注出孔を通して塗布具の外表面上に吐出させ、それを被塗布面に直接押し当てて塗布する塗布具付き注出器に関する。
【背景技術】
【０００２】
容器内に収容された化粧品や育毛剤、整髪料、医薬品等の内容物を吐出する注出器としては、例えばポンプのステムに装着された噴出孔を有する押圧ヘッドを備えるものが知られており、押圧ヘッドの押し込みと復帰を繰り返してポンプを駆動し、容器内の内容物を被塗布面に向けて確実に噴射することができるようになっている。（例えば特許文献１参照）
【先行技術文献】
【特許文献】
【０００３】
【特許文献１】特開２００８−８２１３号公報
【発明の概要】
【発明が解決しようとする課題】
【０００４】
ところで、上記のような構成となる注出器に塗布具を組み付け、この塗布具に直接内容物を注出して塗り広げる、例えばアイクリーム等の極小範囲に塗布するタイプの注出器においては、部材相互間のぐらつきを極力小さくすることが求められる。
【０００５】
本発明の課題は、塗布面に吐出させた内容物を被塗布面に直接押し当てて塗布する場合に、塗布具のぐらつきが抑制されて使い勝手が良く、しかも簡単な構成でぐらつきが抑えられる塗布具付き注出器を提案するところにある。
【課題を解決するための手段】
【０００６】
本発明は、ポンプのステムとつながる内部経路を有し、押し込み動作の繰り返しにより該ポンプを駆動させて容器内部の内容物を該内部経路に取り込む押圧ヘッドと、該内部経路に設けた開孔を通して取り込まれた内容物を送給経路に導入し塗布面に設けた注出孔から該内容物を吐出させる一方、該塗布面を被塗布面に押し当てて吐出された内容物の塗布を可能とする塗布具とを備え、
前記押圧ヘッドに、前記開孔と連結し前記内容物を前記塗布具の注出孔に向けて送給するノズルを設け、
前記塗布具が、先端傾斜部を前記塗布面とし、起立姿勢でもって前記ノズルを前記送給経路にて摺動可能に保持するへら状の塗布具本体と、該塗布具本体の下端に一体連結し、前記ポンプを固定する環状周壁を取り囲んで該環状周壁と嵌合するとともに前記塗布具本体の起立姿勢を保持する肩カバーと、からなり、
前記ノズルは、前記内容物を送給する向きを自在に変更し得る可撓材で形成されたものであることを特徴とする塗布具付き注出器である。
【０００８】
前記ノズルは、前記押圧ヘッドと一体連結したものであることが望ましい。
【０００９】
前記肩カバーを前記塗布具本体とともに取り囲む周壁と、該周壁の上端で一体連結し収納空間を区画形成する天面壁とからなるオーバーキャップを備え、
前記天面壁の下面に、前記塗布面と弾性的に密着して前記注出孔を閉鎖するシール部材を設けることが望ましい。
【発明の効果】
【００１０】
内容物の吐出と塗布を行う塗布具を、起立姿勢でもってノズルを摺動可能に保持するへら状の塗布具本体と、この塗布具本体と一体連結し、ポンプを固定する環状周壁に嵌合するとともに塗布具本体の起立姿勢を保持する肩カバーと、からなるようにしたので、内容物を塗布する際の被塗布面への押し当てによる塗布具本体のぐらつきが抑えられて使い勝手を向上させることができる。また移動する押圧ヘッドと固定される塗布具本体とを分けて設けているので、内容物を吐出するポンプへの影響もない。
【００１１】
内容物を送給する向きを自在に変更し得るように、このノズルを可撓材で形成したので、塗布具本体と摺動する際にスムーズに移動することができる。また簡単な形状でノズルを製造することが可能となり、生産効率が向上する。
【００１２】
ノズルは、押圧ヘッドと一体連結しているので、部品点数を削減することができる。
【００１３】
オーバーキャップを、肩カバーを塗布具本体とともに取り囲む周壁と、周壁の上端で一体連結し収納空間を区画形成する天面壁とからなるものとし、天面壁に塗布面と弾性的に密着して注出孔を閉鎖するシール部材を設けたので、内容物の漏れ出しを確実に防止することができる。
【図面の簡単な説明】
【００１４】
【図１】本発明に従う塗布具付き注出器の実施の形態につき、容器の口部に取り付けた状態を、一部を残して断面で示した側面図である。
【図２】図１に示す塗布具付き注出器の実施の形態につき、オーバーキャップを取り外した状態を示した側面図である。
【図３】図２に示す塗布具付き注出器の実施の形態を示した上面図である。
【図４】本発明に従う他の塗布具付き注出器の実施の形態につき、押圧ヘッドとノズルを一体化した部材を断面で示した側面図である。
【図５】図４に示す押圧ヘッドを取り付けた塗布具付き注出器の側面図である。
【図６】図５に示す塗布具付き注出器のオーバーキャップを取り外した状態を示した側面図である。
【発明を実施するための形態】
【００１５】
以下、図面を参照して、本発明をより具体的に説明する。
図１は、本発明に従う塗布具付き注出器の実施の形態につき、容器の口部に取り付けた状態を、一部を残して断面で示した側面図であり、図２は、図１に示す塗布具付き注出器の実施の形態につき、オーバーキャップを取り外した状態を示した側面図であり、図３は、図２に示す塗布具付き注出器の実施の形態を示した上面図である。
【００１６】
図１において、１は内容物を収納する容器であり、容器１は、容器の側壁となる容器本体１ａと容器の底となる底体１ｂからなる。容器本体１ａは、下端を開口させた大径の筒体からなる胴部１ａ１と、胴部１ａ１の上部において上端を開口させた小径の筒体からなる口部１ａ２と、胴部１ａ１と口部１ａ２とを相互につないだ肩部１ａ３とを備えている。口部１ａ２の外側壁には、係合部ｎ１（図示の例ではねじ手段となっているが、アンダーカット手段でもよい）が設けられている。底体１ｂは、上向き凹状となる有底筒状であり、底壁を表裏において貫通する貫通孔１ｂ１と、底壁から起立する筒部１ｂ２を備えている。底体１ｂは、胴部１ａ１の下部を取り囲んで嵌合し（ねじ手段であっても、アンダーカット手段であってもよい）容器１の内部空間を区画形成している。
【００１７】
２は、容器１の内部空間に配され、容器本体１ａと協働して充填空間Ｍを形成する中皿である。中皿２は、初期の状態において図１に示すように底体１ｂの筒部１ｂ２と当接しており、内容物の充填容量の減少にしたがって口部１ａ２に向けてスライドすることができる。中皿２の外縁部には、胴部１ａ１の内周壁に当接する摺動部材２ａが配置されており、中央部には上向き開放となる凹部２ｂが形成されている。中皿２がスライドして口部１ａ２に近づいた際に、凹部２ｂは後述するポンプを避けるように配置されているので、内容物の全量を吐出することができる。このとき貫通孔１ｂ１から外気が取り込まれるので、中皿２の下部の空間が負圧になって中皿２のスライドに影響を与えることはない。
【００１８】
３は、充填空間Ｍの内容物を汲み上げるポンプである。ポンプ３は、容器１の口部１ａ２において吊り下げ固定するベース３ａと、ポンプの本体部をなすシリンダー３ｂとを備えている。図示の例でベース３ａは、容器１の口部１ａ２を取り囲む環状周壁３ａ１と、この環状周壁３ａ１の上端から径方向内側に延びるフランジ３ａ２と、このフランジ３ａ２の内側端から立ち上がり下向き開放となる環状凹部３ａ３と、環状凹部３ａ３の径方向内側にて開口する中央開口３ａ４を備えている。環状周壁３ａ１の内側壁には、係合部ｎ１に対応する被係合部ｎ２が形成されており、ポンプ３は着脱自在となっている。フランジ３ａ２と口部１ａ２のとの間にはパッキン３ｃが挟みこまれており、充填空間Ｍを液密にすることができる。環状凹部３ａ３は、シリンダー３ｂの上部と嵌合（ねじ手段であっても、アンダーカット手段であってもよい）してシリンダー３ｂと一体連結している。ポンプ３の内部構造について詳細な説明は省略するが、例えばシリンダー３ｂの内側壁面と当接してスライドするピストン３ｄと、ピストン３ｄに上方への付勢力を与える弾性体（図示せず）と、ピストン３ｄとともにスライドし内容物を外部に向けて送り出すガイド３ｅと、ガイド３ｅと一体連結するとともに上端をベース３ａの中央開口３ａ４から突出させた筒状のステム３ｆと、ステム３ｆの内部に配置され、このステム３ｆの開栓、閉栓を行う弁体３ｇを備える、一般的に使用される各種のものが採用できる。
【００１９】
４は、ポンプ３のステム３ｆと連結し、押し込み動作を繰り返してポンプ３を駆動させる押圧ヘッドである。図示の例で押圧ヘッド４は、操作部となる天面壁４ａと、天面壁４ａの外縁から垂下されて側部外壁をなす環状周壁４ｂを備えている。天面壁４ａは、図３に示すように、上面視にて円の一部が直線で切取られた形状となっており、直線状の外縁からは外壁４ｃが起立している。天面壁４ａの下面には棒体４ｄとこの棒体４ｄを取り囲む筒体４ｅが設けられている。筒体４ｅは、ステム３ｆの外側壁と液密に嵌合されてその内側に内部経路４ｆが形成される。このとき棒体４ｄは、ステム３ｆに挿入された状態となるが、棒体４ｄの外周壁には図示しない溝が設けられているので、ステム３ｆ内の内容物を内部経路４ｆに取り込むことができる。筒体４ｅの側壁であって天面壁４ａが切取られた側には、内部経路４ｆに取り込まれた内容物を送り出す開孔４ｇとともに、開孔４ｇを取り囲んで径方向外側に延びる側部筒体４ｈが形成されている。なお環状周壁４ｂは、側部筒体４ｈが形成されている部位は切取られているが、切取られた端部が筒体４ｅと結合しているので、十分な強度を保つことができる。
【００２０】
５は、押圧ヘッド４の内部経路４ｆに取り込まれた内容物を後述する塗布具に向けて送給するノズルである。ノズル５は、一端を側部筒体４ｈと液密に嵌合させ、他端を上方に向けて起立させている。
【００２１】
６は、ノズル５から送給される内容物を外界に向けて吐出し、この内容物を被塗布面に押し当てて塗り広げることが可能な塗布具である。塗布具６は、ノズル５とともに上方に向けて起立する一方、押圧ヘッド４の外壁４ｃが設けられている側の面が平面でありこの平面と対向する面が曲面となるへら状の塗布具本体６ａを備えている。塗布具本体６ａの内側には、外界へ向けて吐出される内容物の経路であってノズル５を摺動可能に保持することが可能な送給経路６ｂが設けられている。図１に示すように塗布具本体６ａの頂部には、前記曲面が傾斜する先端傾斜部６ｃと、送給経路６ｂとつながる注出孔６ｄとが形成されており、この先端傾斜部６ｃを塗布面として内容物を塗布することが可能である。塗布具本体６ａの下端には、押圧ヘッド４を露出させる開口６ｅを残してこの塗布具本体６ａと一体連結し、ポンプ３の環状周壁３ａ１を取り囲む肩カバー６ｆが設けられている。肩カバー６ｆの内面には嵌合部ｋ１が設けられており、環状周壁３ａ１に設けた被嵌合部ｋ２に嵌まり込んで肩カバー６ｆの抜け出しを防止することができる。図示の例では、アンダーカット手段によるものを示したが、ねじ手段でもよい。また嵌合部ｋ１、被嵌合部ｋ２は、環状であっても、環状の一部を省略したものであってもよく、塗布具本体６ａに向けて間隔をあけて複数設けてもよい。肩カバー６ｆの内壁面は環状周壁３ａ１の外壁面と略同一の面形状である。
【００２２】
７は、内容物の不用意な漏れ出しを防止するとともに塗布具６を保護するオーバーキャップである。オーバーキャップ７は、塗布具６の肩カバー６ｆを塗布具本体６ａとともに取り囲む周壁７ａと、周壁７ａの上端でこの周壁７ａと一体連結し収納空間Ｓを区画形成する天面壁７ｂを有している。周壁７ａの内面には係合部ｎ３が設けられており、肩カバー６ｆを設けた被係合部ｎ４に嵌まり込んでオーバーキャップ７を着脱可能に係合保持することができる。図示の例で係合部ｎ３、被係合部ｎ４は、塗布具本体６ａに向けて間隔をあけて２つ設けた環状のアンダーカット手段によるものを示したが、１つであってもよく、またねじ手段であってもよい。天面壁７ｂの下面の中央部には、オーバーキャップ７を係合した際に塗布具本体６ａの前記平面と当接する環状部７ｂ１が形成され、環状部７ｂ１と周壁７ａの相互間にはシール部材７ｃが設けられている。シール部材７ｃは、オーバーキャップ７を係合した際に、塗布具本体６ａの先端傾斜部６ｃ（塗布面）と弾性的に密着し注出孔６ｄを閉鎖することができる。
【００２３】
上記のような構成となる塗布具付き注出器を容器１に取り付けて内容物を吐出させるには、図２に示すようにオーバーキャップ７を取り外した状態で、押圧ヘッド４を押し込み復帰させる押し込み動作を繰り返し行ってポンプ３を駆動させる。押圧ヘッド４と嵌合するノズル５は、押圧ヘッド４を最下端まで押し込んだ場合でも塗布具本体６ａによって摺動可能に保持されているので、内容物が漏れ出すことがない。また押圧ヘッド４の外壁４ｃによって、押圧ヘッド４が最下端まで移動した際にも塗布具本体６ａの内側部分が露出することが無く、美観が損なわれない。
【００２４】
塗布具本体６ａと一体連結する肩カバー６ｆが、ベース３ａの環状周壁３ａ１及び容器１の肩部１ａ３と当接しており、容器１に対して確実に固定されているので、塗布具本体６ａを被塗布面に押し当てて内容物を塗布する場合でもぐらつきを抑制することができ、極小範囲に内容物を正確に塗布することが可能となる。
【００２５】
ベース３ａのフランジ３ａ２から環状壁３ａ５を起立させ、塗布具６の内壁面と当接させることが好ましい。これにより塗布具６と当接する部分がより増えるだけでなく、塗布具本体６ａに近い部位を支持することができるので、さらに確実にぐらつきを抑制することができる。
【００２６】
ノズル５は、内容物を送給する向きを自在に変更し得る可撓材で形成するものとする。可撓材は、軟質プラスチックやゴムのように変形可能な材料であっても、またノズル５の径方向に沿う向きに設けた薄肉部をこのノズル５が延びる向きに間隔をあけて複数配置した蛇腹形状にしたものであってもよい。これにより塗布具本体６ａと摺動する際に引っかかり等の抵抗が生じることが無く、スムーズに移動することができる。またノズル５が、押圧ヘッド４の動作に合わせて塗布具本体６ａと摺動する際にも塗布具本体６ａのぐらつきに影響を与えることが無い。さらに簡単な形状（例えば直線状）でノズル５を製造することが可能となり、生産効率が向上する。
【００２７】
ノズル５は、図４〜図６に示すように押圧ヘッド４と一体連結したものであることが望ましい。これにより部品点数を削減することが可能となる。特にノズル５を可撓できるようにした場合には、図４に示すように直線状にして形成することができ、容易に製造することが可能となる。
【００２８】
肩カバー６ｆに、ベース３ａに対する廻り止めを設けてもよい。図示は省略するがこの廻り止めは、例えば肩カバー６ｆの内壁に、ベース３ａの環状周壁３ａ１の外壁に設けた凸部又は凹部に適合する凹部または凸部で形成ことができる。これによりポンプ３を容器１にねじ止め固定している場合に、肩カバー６ｆを容器１に対して回転させれば、肩カバー６ｆを取り外すことなくポンプ３を着脱することができる。
【００２９】
なお図示の例では、中皿２を組み込んだタイプの容器を示したが、中皿２を使用せずにポンプの下端に吸引管を設けるタイプの容器でもよく、一般的に使用される各種の容器やポンプが採用できる。
【産業上の利用可能性】
【００３０】
本発明によれば、塗布面に吐出させた内容物を被塗布面に直接押し当てて塗布する場合に、塗布具のぐらつきが抑制されて使い勝手が良く、しかも簡単な構成でぐらつきが抑えられる塗布具付き注出器を提供できる。
【符号の説明】
【００３１】
１    容器
１ａ  容器本体
１ｂ  底体
２    中皿
２ａ  摺動部材
２ｂ  凹部
３    ポンプ
３ａ  ベース
３ｂ  シリンダー
３ｃ  パッキン
３ｄ  ピストン
３ｅ  ガイド
３ｆ  ステム
３ｇ  弁体
４    押圧ヘッド
４ａ  天面壁
４ｂ  環状周壁
４ｃ  外壁
４ｄ  棒体
４ｅ  筒体
４ｆ  内部経路
４ｇ  開孔
４ｈ  側部筒体
５    ノズル
６    塗布具
６ａ  塗布具本体
６ｂ  送給経路
６ｃ  先端傾斜部
６ｄ  注出孔
６ｅ  開口
６ｆ  肩カバー
７    オーバーキャップ
７ａ  周壁
７ｂ  天面壁
７ｃ  シール部材
Ｍ    充填空間
Ｓ    収納空間
【図１】
0005554160.tif 000002
【図２】
0005554160.tif 000003
【図３】
0005554160.tif 000004
【図４】
0005554160.tif 000005
【図５】
0005554160.tif 000006
【図６】
0005554160.tif 000007